(57)【要約】【課題】  歩行時における矯正対象者の両足が内側へ滑り出ることを防止するストッパー機能と、矯正装具を装着後の底面が丸くなるのを防止する平面保持機能が付与された室内用Ｏ脚矯正装具を提供する。【解決手段】  外側端部から内側端部に向けて徐々に低くなる傾斜状に形成された底部材１０を、別体の基板２０に固着した形状の装具本体１を、係止手段を介して足裏に装着するようにした左右一組の室内用Ｏ脚矯正装具であって、前記基板２０が、前記底部材１０の底面形状と略同一に形成された底部材支持部２１と、足の内側面に沿って緩やかに立ち上がる立設部２２を備えた構成とする。【選択図】図１
2019166294.tif 000002
【特許請求の範囲】
【請求項１】
外側端部から内側端部に向けて徐々に低くなる傾斜状に形成され、且つその長手方向が人の足裏の全長よりも短く形成された底部材を、別体に設けられた基板に固着して装具本体を形成し、被覆材で被覆された該装具本体を、係止手段を介して足裏に装着するようにした左右一組のＯ脚矯正装具であって、前記した基板が、前記底部材の底面形状と略同一状に形成された底部材支持部と、その底部材支持部の内側端部から足の内側面に沿って緩やかに立ち上がる立設部を備えて成ることを特徴とする室内用Ｏ脚矯正装具。
【請求項２】
上記した基板の立設部が、足の土踏まずの形状に合わせてやや凹状に形成されるとともに、その前半部分の面積が大きく、後方に向けて緩やかな円弧を描いて傾斜する湾曲状に形成されたことを特徴とする請求項１に記載の室内用Ｏ脚矯正装具。
【発明の詳細な説明】
【技術分野】
【０００１】  本発明は、左右対称状に形成された２個を一組とするＯ脚矯正装具に係るものであり、さらに詳しくは、主として室内において使用する場合に好適な簡易構造の室内用Ｏ脚矯正装具に関するものである。
【背景技術】
【０００２】  従来より、室内で使用することを想定して開発されたＯ脚矯正装具としては、使用者の両足に装着される一対の足装具の爪先部同士を連結し、その爪先部側連結部材を、踵部を中心に回動可能に構成したＯ脚矯正装具がある（特許文献１参照）。また左右の各底部の内部底面が外側端部から内側端部に向けて徐々に低くなるような傾斜状に形成された矯正用履物として、一対の足袋や靴下が提案されている（特許文献２参照）。【０００３】  しかしながら、上記した特許文献１の発明は爪先部同士が連結されているので、矯正対象者が室内を自由に歩行できないという欠点があり、また上記した特許文献２の発明は、Ｏ脚矯正装具として足袋や靴下が想定されているので、この足袋や靴下を使用する矯正対象者は、破損や汚損の頻度が高い足袋や靴下を廃棄する度に、矯正機能付きの高額な足袋や靴下を購入する必要があるとともに、足袋や靴下を洗濯して常に衛生的に使用するためには、少なくとも二足分を常備する必要があり、経済的に大きな負担になるという重大な問題点があった。【０００４】  そこで、現在の一般的な治療現場などでは、外側端部から内側端部に向けて徐々に低くなるような傾斜状に設けられた底部材を、布や皮などで被覆して装具本体を形成し、その装具本体に取付けた係止バンドなどを用いて、矯正対象者の足裏に装着するようにしたＯ脚矯正装具が汎用されている。【０００５】  しかしながら、上記した治療現場などで汎用されている矯正装具を使用する場合は、足の内側面に当接する部位の素材が柔軟性を有する布材等で形成されているため、矯正対象者が歩く度に、傾斜状の底部材から両足が内側方向へ滑り出る現象が起き、膝関節に横振れが生じて、病状の悪化や転倒による怪我を招来する危険性があった。また使用する係止バンド等に柔軟性が付与されており、且つ底部材も半硬質のスポンジなどで形成されているため、係止バンド等を足の甲側に引き寄せて係止すると、底部材の底面が丸くなって矯正効果が低下するという欠点もあった。
【先行技術文献】
【特許文献】
【０００６】
【特許文献１】特開２０１４−１１３１８２号公報
【特許文献２】特開２００１−１７２０２号公報
【発明の概要】
【発明が解決しようとする課題】
【０００７】  本発明は、上記のような現在汎用されているＯ脚矯正装具の欠点を改良するために発明されたものであり、歩行時における矯正対象者の両足が内側へ滑り出ることを防止するストッパー機能と、矯正装具を装着後の底面が丸くなるのを防止する平面保持機能を付与することにより、Ｏ脚の矯正効果をさらに向上するようにした室内用Ｏ脚矯正装具を提供しようとするものである。
【課題を解決するための手段】
【０００８】  上記した課題を解決すべく、本発明は以下のような技術的手段を講ずるものである。
すなわち請求項１に記載の本発明は、外側端部から内側端部に向けて徐々に低くなる傾斜状に形成され、且つその長手方向が人の足裏の全長よりも短く形成された底部材を、別体に設けられた基板に固着して装具本体を形成し、被覆材で被覆された該装具本体を、係止手段を介して足裏に装着するようにした左右一組のＯ脚矯正装具であって、前記した基板が、前記底部材の底面形状と略同一状に形成された底部材支持部（以下、単に支持部と称する）と、その支持部の内側端部から足の内側面に沿って緩やかに立ち上がる立設部を備えて成ることを特徴とする室内用Ｏ脚矯正装具である。【０００９】  また請求項２に記載の本発明は、上記した基板の立設部が、足の土踏まずの形状に合わせてやや凹状に形成されるとともに、その前半部分の面積が大きく、後方に向けて緩やかな円弧を描いて傾斜する湾曲状に形成されたことを特徴とする請求項１に記載の室内用Ｏ脚矯正装具である。
【発明の効果】
【００１０】  本発明に成る室内用Ｏ脚矯正装具には、外側端部から内側端部に向けて徐々に低くなる傾斜状に形成された装具本体に、矯正対象者の足が内側へ滑り出ることを防止するためのストッパー機能と、使用時に底面部が丸くなることを防止するための平面保持機能が付与されているので、膝関節に対して常に一定の矯正力を加えることができ、その結果として顕著なＯ脚の矯正効果を得ることができるばかりでなく、転倒による怪我なども未然に防止することができるという多大な効果を奏するものである。【００１１】  また本発明に成る室内用Ｏ脚矯正装具は、その長手方向の寸法が足裏の全長よりもやや短く形成されている（詳しくは、足裏の全長寸法の三分の二程度）ので、足の大きさが多少異なる矯正対象者が使用する場合でも、同一形状の装具を使用することが可能であるという長所があり、また本発明品は底部材と基板から成る装具本体と、係止バンド等の係止手段のみを備えた簡易構造となっているので、非常に安価に生産することができるという特筆すべき利点がある。【００１２】  さらに本発明品は薄肉状の簡素な形状に形成されているので、室内専用とするのではなく、矯正対象者が日常的に使用するものよりもやや大きなサイズの靴などを履いた場合にも使用可能であり、例えば入浴や就寝時などを除いて常時装着することで、極めて顕著な矯正効果を得ることができるという特長もある。
【図面の簡単な説明】
【００１３】
【図１】本発明の室内用Ｏ脚矯正装具における右足用矯正装具の斜視図である。
【図２】装具本体の分解斜視図である。
【図３】本発明の矯正装具を右足に装着した場合の内側の状態を示す側面図である。
【図４】本発明の矯正装具を右足に装着した場合の外側の状態を示す側面図である。
【図５】（イ）は左足用装具本体の断面図であり、（ロ）は右足用装具本体の断面図である。
【発明を実施するための形態】
【００１４】  以下に、本発明の一実施形態を図面に基づいて説明するが、本発明は、左右対称状に形成された２個を一組とし、主として室内で使用するのに好適なＯ脚矯正装具を提供するものである。なお説明の便宜上、図１〜図４は右足用矯正装具を、図５は左右の装具本体の構造を示している。
【００１５】  図１は、本発明に成る室内用Ｏ脚矯正装具における右足用装具の全体形状を示しているが、この装具は、主として矯正対象者の足裏に装着される装具本体１と、本装具を足裏に装着するための係止手段とにより構成されるもので、該係止手段は、左右の係止バンド２Ａ，２Ｂと、矯正対象者の踵の外周に半円状に巻着される定着バンド３から成るものである。
【００１６】  上記した左右の係止バンド２Ａ，２Ｂは、やや柔軟性を有し、且つ通気性にも優れた幅広状の紐状体で形成されたもので、その係止バンド２Ａの下面には雄状の面ファスナー４Ａが取付けられており、また係止バンド２Ｂの上面には雌状の面ファスナー４Ｂが取付けられている。また定着バンド３は、やや幅広のゴム紐（または弾力性を有する紐状体）が用いられており、その両端部を左右の係止バンド２Ａ，２Ｂの後側下端部に縫着された形態となっている。
【００１７】  次に、装具本体１について説明する。
装具本体１は、矯正対象者の足を乗せる底部材１０と、該底部材１０の下面に固着される基板２０とにより構成されるもので、両者ともに、その長手方向の寸法が、足裏の全長の略三分の二程度となるように短く形成されている。したがって、本発明の矯正装具を足裏に装着する場合は、図３および図４に示すように、足裏の小指球や母指球と呼ばれる部分から指先に亘る部位が露出する状態となるので、その部位は床や畳に直に当接する形態となっている。
【００１８】  図２に示す底部材１０は、半硬質のスポンジやシリコンゴムなどを用いて形成されたもので、ほぼ３ｍｍから１５ｍｍ程度の高さに形成された外側端部１１から、反対側の内側端部１２に向けて徐々に低くなる傾斜状に設けられたものである。この場合に、ほぼ直線状に形成された内側端部１２付近の厚さと前端部１３付近の厚さは非常に薄い板状に形成されている。さらに外側端部１１は、図４に示すように、その後半部の肉厚がやや厚く、前方へ進むに従って薄くなるような傾斜状に設けられるとともに、図５に示すように、その最上部が外方に突出し、最下部が後述する基板２０の外側端部と重合するような傾斜状に形成されている。
【００１９】  次に、図１〜図３および図５に基づいて基板２０について説明する。
基板２０は、薄い半硬質のプラスチックなどで形成されたもので、前記した底部材１０の底面形状と略同一状に形成された支持部２１と、該支持部２１から延設されて緩やかに立ち上がる立設部２２が、継ぎ目のない一体状に形成された形状となっている。
【００２０】  装具本体１における底部の平面保持機能を担う支持部２１は、大略平坦な靴べら状に形成されたもので、図２における立設部２２との前後方向の境界がほぼ直線状で、後部から前部に向けてやや末広がり状に設けられたものである。なお人の踵部を受ける最後端の縁部は、立設部２２に向けて次第に高くなるように配慮されている。
【００２１】  また矯正対象者の足が内側へ滑り出ることを防止するストッパー機能を担う立設部２２は、図１〜図３に示すように、足の土踏まず形状に合わせてやや凹状に形成されるとともに、土踏まず部位を含む前半部分の面積が大きく、後方に向けて緩やかな円弧状を描きながら傾斜する湾曲状に形成されている。
【００２２】  上述した底部材１０は、図５に示すように、その底面を基板２０の支持部２１の上面に固着されるとともに、両者の外周を布または皮革等の被覆材５で被覆して装具本体１を形成するものである。なお図５（イ）は左足用の装具本体１の断面図であり、（ロ）は右足用の装具本体１の断面図であるが、図示の如くに、左足用と右足用は、左右対称状に形成されるものである。
【００２３】  以上のように構成された本発明の室内用Ｏ脚矯正装具を使用する場合は、左右の装具本体１を係止バンド２Ａ，２Ｂと定着バンド３を使用して両足の足裏に装着するようにするものであるが、本発明は薄型の簡易構造に形成されているので、室内専用としてのみではなく、矯正対象者が日常的に使用する履物よりもやや大きなサイズの履物を利用して、屋外での歩行時に使用することも可能である。なお、前述した如くに、本発明のＯ脚矯正装具は、その長手方向の寸法が足裏の全長よりも短く形成されているが、装具本体１の前端部は、装着時の違和感を緩和するために、肌触りの良い被覆材５で被覆された薄い板状に形成されているので、長時間の矯正治療にも支障なく使用することができる。
【符号の説明】
【００２４】        １  装具本体
５  被覆材
１０  底部材
１１  外側端部
１２  内側端部
１３  前端部
２０  基板
２１  底部材支持部
２２  立設部
【図１】
2019166294.tif 000003
【図２】
2019166294.tif 000004
【図３】
2019166294.tif 000005
【図４】
2019166294.tif 000006
【図５】
2019166294.tif 000007